(57)【要約】【課題】ファイル名から画像データファイルを管理しやすくするために、画像を撮影した後、画像データファイルを格納する際に、バーコード画像から抽出するバーコード情報に対応する数値又は＼及び文字データ情報をファイル名に含ませることができる画像データファイル処理装置を提供することを目的とする。【解決手段】画像データファイル処理装置において、撮影されるバーコード画像からバーコード情報を抽出し、前記バーコード情報抽出後に撮影される画像の画像データファイルについて、当該バーコード情報に対応する数値又は＼及び文字データ情報を含ませたファイル名を生成する手段を備えていることを特徴とする。【選択図】  図３
2014232394.tif 000002
【特許請求の範囲】
【請求項１】
画像撮影手段と、撮影された画像をデジタル画像データに変換し、画像データファイルを生成する画像処理手段と、前記画像データファイルを格納するデータ格納手段とを備えた画像データファイル処理装置において、数値又は＼及び文字データ情報を入力する手段と、前記数値又は＼及び文字データ情報の入力後に撮影される画像の画像データファイルについて、当該数値又は＼及び文字データ情報を含ませたファイル名を生成する手段とを備えていることを特徴とする画像データファイル処理装置。
【請求項２】
請求項１記載の画像データファイル処理装置において、前記数値又は＼及び文字データ情報として、前記画像撮影手段によって撮影されるバーコード画像からバーコード情報を抽出し、当該前記バーコード情報に対応する数値又は＼及び文字データ情報を利用することを特徴とする画像データファイル処理装置。
【請求項３】
請求項１乃至２いずれか記載の画像データファイル処理装置において、前記数値又は＼及び文字データ情報の入力後に、連続して画像が撮影される毎にカウントアップする手段と、当該画像の画像データファイルについて、連番データを含ませたファイル名を生成する手段とを備えていることを特徴とする画像データファイル処理装置。
【請求項４】
請求項１乃至３いずれか記載の画像データファイル処理装置において、前記数値又は＼及び文字データ情報の入力後に、当該数値又は＼及び文字データ情報に対応するフォルダを生成する手段と、当該フォルダ内に、前記数値又は＼及び文字情報入力後に撮影される画像の画像データファイルを格納する手段とを備えていることを特徴とする画像データファイル処理装置。
【請求項５】
画像撮影ステップと、撮影された画像をデジタル画像データに変換し、画像データファイルを生成する画像処理ステップと、前記画像データファイルを格納するデータ格納ステップとを有する画像データファイル処理方法において、数値又は＼及び文字データ情報を入力するステップと、前記数値又は＼及び文字データ情報の入力後に撮影される画像の画像データファイルについて、当該数値又は＼及び文字データ情報を含ませたファイル名を生成するステップとを有することを特徴とする画像データファイル処理方法。
【発明の詳細な説明】
【技術分野】
【０００１】
本発明は、画像撮影手段を備えている画像データファイル処理装置において、画像データファイルについて、任意の数値又は＼及び文字データ情報を含んだファイル名を生成する画像データファイル処理装置及び処理方法に関する。
【背景技術】
【０００２】
撮影機能を有する画像データファイル処理装置であるデジタル機器が多数存在しているが、その多くはカメラファイルシステム規格（ＤＣＦ）により、画像データファイルのファイル名は、その機器によって任意に設定される４文字と、ファイル番号となる４文字とから構成される８文字及び拡張子とからなり、ファイル番号は撮影順の通し番号となるのが通常であって、ＡＢＣＤ０１２３．ｊｐｇというように、ファイル名からどのような撮影画像を推測するのは極めて難しいものとなっている。
そのため、撮影画像の種類（風景、人物、料理等）に関連したファイル名を設定しようとしても、撮影時に自動的にファイル名が付与されるため、多くのデジタル機器においては、それらファイル名を撮影前に独自に設定することができない。そして、多くのデジタルカメラ等は、画像データファイル保存後であってもも、当該デジタルカメラにおいてファイル名を変更することができないのが通常である。
そこで、画像データファイルを格納したメモリカード等をパソコン等で読み込んで、ファイル名をひとつひとつリネームする作業が強いられることとなる。
なお、画像管理ソフト等を用いることにより、一括してリネームすることができるが、その多くは撮影日付とファイル番号を組み合わせたファイル名とするような機能であり、そのファイル名から撮影画像の種類を推測することは困難であり、小さなサムネイル画像から、その内容を判別するしかなく、撮影画像の種類に応じたファイル名とするには、画像を確認しながら、ひとつひとつリネームするという方法しかなかった。
【０００３】
ショッピングサイトや通販カタログなどでは、多数の商品写真が掲載されているが、販売者の多くは、日本国内においてはＪＡＮコードに対応したバーコードを利用して、商品管理を行っている。
そのため、商品画像データとバーコード情報とを関連付けする方法として、画像データファイルのファイル名にバーコード情報を含ませることができれば、商品画像データファイルとバーコード情報とが対になり、商品画像の差し換え等の画像管理を容易にすることができるが、手作業によるファイル名をリネームする作業は非効率的であり、誤入力による間違いが生じる可能性も多々ある。
【０００４】
そこで、画像データファイルを読み込んで、さらにバーコードを読み取り、バーコード情報に対応したファイル名にリネームする方法が開示されているが、デジタルカメラで撮影した後、画像データファイルが収納されたメモリカードをコンピュータで読み取り、さらにバーコードリーダーでバーコードを読み取らなければならないというように、手間のかかるものとなっている。
【特許文献１】特開２００２−８００３号公報
【発明の概要】
【発明が解決しようとする課題】
【０００５】
そこで、本発明は、画像とバーコードとの撮影を同一の装置で行い、さらに画像データファイルを格納する段階で、バーコード情報を含ませたファイル名を生成するものであり、商品の画像データファイルとバーコード情報とを対応させて、手間をかけずに商品画像の管理を容易にすることを目的とする。
【課題を解決するための手段】
【０００６】
請求項１記載の画像データファイル処理装置は、画像撮影手段と、撮影された画像をデジタル画像データに変換し、画像データファイルを生成する画像処理手段と、前記画像データファイルを格納するデータ格納手段とを備えた画像データファイル処理装置において、数値又は＼及び文字データ情報を入力する手段と、前記数値又は＼及び文字データ情報の入力後に撮影される画像の画像データファイルについて、当該数値又は＼及び文字データ情報を含ませたファイル名を生成する手段とを備えていることを特徴とする。
【０００７】
前記の発明によれば、画像撮影前に、任意の数値又は＼及び文字データ情報を指定することによって、当該数値又は＼及び文字データ情報を含んだファイル名とすることができ、ファイル名からの画像データファイルの管理が容易となり、格納後のファイル名をひとつひとつリネームするという作業から解放されることとなる。
【０００８】
請求項２記載の画像データファイル処理装置は、請求項１記載の画像データファイル処理装置において、前記数値又は＼及び文字データ情報として、前記画像撮影手段によって撮影されるバーコード画像からバーコード情報を抽出し、当該バーコード情報に対応する数値又は＼及び文字データ情報を利用することを特徴とする。
【０００９】
前記の発明によれば、バーコード情報を利用したファイル名とすることができ、商品の画像データファイルのファイル名を、当該商品に対応するバーコード情報を含んだものとすることにより、ファイル名からの商品の画像データファイルの管理を容易にすることができる。
【００１０】
請求項３記載の画像データファイル処理装置は、請求項１乃至２いずれか記載の画像データファイル処理装置において、前記数値又は＼及び文字データ情報の入力後に、連続して画像が撮影される毎にカウントアップする手段と、当該画像の画像データファイルについて、連番データを含ませたファイル名を生成する手段とを備えていることを特徴とする。
【００１１】
前記の発明によれば、一のバーコード情報についての商品画像を複数枚撮影する場合に、撮影毎にバーコード画像を撮影することなく、一枚目の商品画像撮影前にバーコード情報を撮影しておけば、それ以降撮影される商品画像それぞれに当該バーコード情報が含まれるファイル名が生成されることとなる。
【００１２】
請求項４記載の画像データファイル処理装置は、請求項１乃至３いずれか記載の画像データファイル処理装置において、前記数値又は＼及び文字データ情報の入力後に、当該数値又は＼及び文字データ情報に対応するフォルダを生成する手段と、当該フォルダ内に、前記数値又は＼及び文字情報入力後に撮影される画像の画像データファイルを格納する手段とを備えていることを特徴とする
【００１３】
前記の発明によれば、前記のように一のバーコード情報についての商品画像を複数枚撮影するような場合に、当該バーコード情報に対応するフォルダが生成され、当該フォルダ内に当該商品画像の画像データファイルが収納されることにより、フォルダ毎の画像データファイルの管理ができることとなる。
【００１４】
請求項５記載の画像データファイル処理方法は、画像撮影ステップと、撮影された画像をデジタル画像データに変換し、画像データファイルを生成する画像処理ステップと、前記画像データファイルを格納するデータ格納ステップとを有する画像データファイル処理方法において、数値又は＼及び文字データ情報を入力するステップと、前記数値又は＼及び文字データ情報の入力後に撮影される画像の画像データファイルについて、当該数値又は＼及び文字データ情報を含ませたファイル名を生成するステップとを有することを特徴とする。
【００１５】
前記の発明によれば、画像撮影前に、任意の数値又は＼及び文字データ情報を指定することによって、当該数値又は＼及び文字データ情報を含んだファイル名を生成し、ファイル名からの画像データファイルの管理を容易とする、保存後にファイル名をひとつひとつリネームする必要がない方法を提供することができる。
【発明の効果】
【００１６】
本発明によれば、画像データファイルのファイル名に、任意の数値又は＼及び文字データ情報を含ませることができるため、画像種別に応じたファイル名とすることにより、サムネイル画像等を見ることなく画像種別の判別ができることとなり、ファイル名による画像データファイル管理を容易にすることができる。
また、バーコード情報を利用することにより、商品の画像データファイルを管理する際に、当該バーコード情報と商品とを関連付けた画像データファイル管理が容易になるという利点がある。
【図面の簡単な説明】
【００１７】
【図１】本発明の実施の形態に係る画像データファイル処理装置（スマートフォン）の概要構成を示す機能ブロック図である。
【図２】本発明の実施の形態に係る画像データファイル処理の手順を示すフローチャートである。
【図３】本発明の実施の形態に係る画像データファイルのファイル名のパラメータを説明する図である。
【図４】本発明の実施の形態に係るスマートフォンのメニュー画面Ａである。
【図５】本発明の実施の形態に係るスマートフォンのバーコード画像撮影画面である。
【図６】本発明の実施の形態に係るスマートフォンのフォルダ作成後の表示画面である。
【図７】本発明の実施の形態に係るスマートフォンのメニュー画面Ｂである。
【図８】本発明の実施の形態に係るスマートフォンの画像撮影画面である。
【図９】本発明の実施の形態に係るスマートフォンの画像撮影後の画面Ａである。
【図１０】本発明の実施の形態に係るスマートフォンのフォルダ内容表示画面Ａである。
【図１１】本発明の実施の形態に係るスマートフォンの画像撮影後の画面Ｂである。
【図１２】本発明の実施の形態に係るスマートフォンのフォルダ内容表示画面Ｂである。
【図１３】本発明の実施の形態に係る画像データファイル処理（フォルダ作成なし）の手順を示すフローチャートである。
【発明を実施するための最良の形態】
【００１８】
以下、図面を参照しつつ、本発明の実施の形態について説明する。なお、本実施の形態については、画像データファイル処理装置としてＯＳにアンドロイド（登録商標）を使用する、カメラ機能付のスマートフォンを利用した場合について説明する。
なお、スマートフォンを利用しているが、これは例示であって、画像データファイル処理装置として、カメラ機能を有する携帯電話端末、デジタルカメラ、カメラ機能付のノートパソコン等の機器においても実施可能である。
また、イメージスキャナ及び外部記憶装置を接続したパソコン等のように、複数の機器をセットとしたものについても、画像データファイル処理装置として利用可能である。
【００１９】
そして、ファイル名に含まれる数値又は＼及び文字データ情報については、バーコード画像を撮影して、該バーコード画像から抽出したバーコード情報に対応する数値データ情報を利用した場合について説明する。
なお、バーコード画像はスマートフォンのカメラ機能を用いて撮影することとしているが、外部カメラを接続して撮影することも可能であり、外部バーコードリーダーを接続して、バーコードを読み込むことも可能である。
また、ファイル名に含まれる数値又は＼及び文字データ情報については、バーコード情報を利用するのは一例であって、アンドロイド（登録商標）のインターフェースを利用して、直接入力する数値又は＼及び文字や、外部キーボードを接続して入力する数値又は＼及び文字を、数値又は＼及び文字データ情報として利用することも可能である。
【００２０】
本発明の実施の形態に係る画像データファイル処理装置の構成について説明をする。図１は、概要構成を示す機能ブロック図である。
本発明の実施の形態に係る画像データファイル処理装置１は、画像撮影手段１１と、画像処理手段１２と、制御手段１３と、画像データファイル処理装置を制御するプログラム１４と、データ格納手段１５と、画像表示手段１６とから構成されるスマートフォンであり、画像撮影手段１１によって撮影された画像は、最終的に画像データファイルとしてデータ格納手段１５に格納される。
【００２１】
前記画像撮影手段１１は、レンズ、ＣＭＯＳイメージセンサ等の撮像素子、電子回路等から構成されており、前記画像処理手段１２はＣＰＵ等から構成される。前記画像撮影手段１１によって撮影された画像は、前記画像処理手段１２によってデジタル画像データに変換され、画像データファイルを生成し、該画像データファイルの一時的な格納等を行う。
前記制御手段１３は、ＣＰＵ等から構成され、前記画像処理手段１２に一時格納されている画像データファイルの処理、バーコード画像からバーコード情報の抽出、ファイル名の生成、画像データファイルを前記データ格納手段１５へ格納する制御等を行う。
前記プログラム１４は、前記画像データファイル処理装置１を制御するメインプログラムが記憶されている他、画像を撮影する前記画像撮影手段１１を制御するプログラム、前記画像撮影手段１１によって撮影された画像をデジタル画像データに変換するための前記画像処理手段１２を制御するプログラム、ファイル名を生成するための前記制御手段１３を制御するプログラム、画像データファイルを前記データ格納手段１５へ格納するための前記制御手段１３を制御するプログラム等から構成される。
前記データ格納手段１５は、前記スマートフォン１の内部メモリの他、外部メモリカード等から構成され、前記画像表示手段１６は、前記スマートフォン１のディスプレイ等から構成される。
【００２２】
次に、図２乃至図１２を参照しつつ、本発明の実施の形態に係るスマートフォンの画像データファイル処理の手順について説明する。ここで、図２は画像データファイル処理の手順を示すフローチャート、図３は画像データファイルのファイル名の設定パラメータ、図４乃至図１２は前記スマートフォン１の表示画面となる。
【００２３】
前記スマートフォン１から、本発明の実施の形態に係る画像データファイルの処理を行うためのプログラムを起動し、メニューボタン３を押すと、前記ディスプレイ２に図４に示すメニュー画面Ａが表示される。
ここで、メニューボタン３、ホームボタン４、戻るボタン５は、それぞれハードキーとなっているが、機種、ＯＳであるアンドロイド（登録商標）のバージョンによっては、名称が異なることもあり、ハードキーではなくソフトキーとなっていることもあるが、その機能は同様である。
図４に示すスキャンキー２１をタップすることにより、バーコード画像撮影の画面へと進む。ファイルキー２２をタップすると、図示はないがファイル管理を行う画面となり、環境設定キー２３をタップすると、図示はないがファイル名の設定等を行う環境設定画面となる。
【００２４】
図３に本件発明の実施の形態に係る画像データファイルのファイル名の設定パラメータを示すが、前記環境設定キー２３をタップして環境設定画面から、ファイル名の設定を行うこととなる。
設定パラメータ先頭の”ＡＩ”は固定キャラクタとして認識されるが、任意の２文字を使用しており、画像撮影者、データ管理者等毎に異なる文字を設定することにより、ファイル名からの画像データファイルの管理を容易にする助けとなるものである。なお、２文字でなくとも文字数は任意であり、また当該文字を設定しないことも可能である。
次の”＄ｂ”は、バーコード画像から抽出したバーコード情報の数値データとなる。ここで本件発明の実施の形態においては、日本において一般的に商品に使用されているバーコードとしてＪＡＮコードを用いているが、その他のＥＡＮコード、ＩＴＦコード、インストアコード等についても実施可能であり、各コードにより”＄ｂ”の桁数は変わってくるが、本件発明の実施の形態においては、ＪＡＮコードの標準タイプである１３桁の数値データとなっている。
さらに次の”％％％”は撮影画像のカウント数である連番データであって、バーコード情報抽出後に、画像が撮影される毎にカウントアップされ、本件発明の実施の形態においては、３桁の数値データであって、「００１」から始まり、「００２」、「００３」というようにカウントアップされていくこととなる。
そして、次の”＄ｄ”は画像の撮影日付データであり、６桁の西暦年月日であり、次の”＄ｔ”は画像の撮影時間データであり、８桁の時分秒となっている。
図３に示すファイル名”ＡＩ４９０２０５０１３３６４５＿００１＿１３０１０１＿１２１２１２．ｊｐｇ”は、設定された固定キャラクタ”ＡＩ”、ＪＡＮコード”４９０２０５０１３３６４５”、１枚目に撮影された画像を示す”００１”、２０１３年１月１日１２時１２分１２秒に撮影されたことを示す”１３０１０１＿１２１２１２”とが組み合わされたものであり、”ｊｐｇ”はファイルの種別を示す拡張子である。
なお、この設定パラメータは一例であって、固定キャラクタ及び撮影時間である”＄ｔ”を除いて、”＄ｂ＿％％％＿＄ｄ”というように設定することも可能であり、他の要素のパラメータを付加することも可能である。
【００２５】
前記スキャンキー２１をタップすると、図５に示すバーコード画像撮影画面へと進む（ステップ１０１）。
前記ディスプレイ２に、バーコード読取り範囲２４の枠が表示されるので、バーコードガイドライン２５の線上に、バーコード２６を重なるように位置させて、被写体がバーコードであることが認識されると、前記画像撮影手段１１により、バーコード２６の画像が撮影され、前記制御手段１３及び前記プログラム１４によりバーコード情報が抽出され（ステップ１０２）、当該バーコード情報に対応する数値データをフォルダ名とするフォルダが、データ格納手段１５内に生成される（ステップ１０３）。
ここで、フォルダの生成場所としては、通常は「ＤＣＩＭ」フォルダのサブフォルダとして生成されるが、生成場所は任意であり、環境設定画面から生成場所を指定することができる。
そして、バーコード２６として商品パッケージ（洗剤の容器）側面に印刷されているバーコードを利用しているが、紙面に印刷されたバーコード、コンピュータのディスプレイに表示されるバーコード等にも対応可能である。
また、一次元のバーコードを読み込むこととしているが、プログラム１４によって、二次元のコードであるＱＲコード（登録商標）等に対応させることも可能である。
【００２６】
前記のフォルダが生成されると、前記ディスプレイ２に図６に示すフォルダ内容表示バー２７が表示され、当該表示バーにはフォルダ名２８、フォルダ作成日時２９が表示される。
なお、前記の通りバーコード画像が撮影される際に、当該バーコード情報がすでに抽出済で、当該フォルダがすでに生成されている場合には、フォルダの生成は行われずに、当該フォルダ内容表示バー２７が表示されることとなる。
ここで、フォルダ内容表示バー２７をタップし、メニューボタン３を押すと、前記ディスプレイ２に図７に示すメニュー画面Ｂが表示されて、カメラキー３０をタップすることにより、図８に示す画像撮影画面が表示される（ステップ１０４）。
【００２７】
シャッターキー３１をタップすることにより、前記画像撮影手段１１によって、一枚目の商品画像（前面）３２が撮影されると、図９に示す画面表示となり、撮影された画像を、画像データファイルに変換し、データ格納手段１５内の前記フォルダに格納するか否かを選択することとなる。ここで、やり直しキー３４をタップすると、図８に示す画像撮影画面へと戻る。
なお、スマートフォンの機種によっては、ハードキーとしてシャッターボタンに相当するものを備えているものもあり、その場合には、該ハードキーを押すことによっても、前記シャッターキー３１をタップすることと同様の動作をする。
保存キー３３をタップした場合には、撮影枚数がカウントされ（ステップ１０５）、ここでは一枚目の撮影であるため、図３に示す前記設定パラメータのうち連番データとなる”％％％”が”００１”となり、その他の設定パラメータにしたがって、ファイル名が生成されて、当該画像データファイルがステップ１０３で生成された前記データ格納手段１５内の前記フォルダ内に格納されると（ステップ１０６）、図１０に示すフォルダ内容表示画面Ａが、前記ディスプレイ２に表示される。
【００２８】
前記フォルダ内容表示画面Ａは、前記ディスプレイ２の上部に、フォルダ名表示バー３５が表示され、ステップ１０３で生成された前記フォルダ名が表示される。前記フォルダ名表示バー３５の下部に、格納された画像データファイル情報として、該画像データファイルのサムネイル画像３６、該画像データファイルのファイル名３７、該画像データファイルの撮影日時３８が表示されることとなる。
なお、前記フォルダ名表示バー３５の表示内容、該画像データファイル情報の表示内容（サムネイル画像３６等）は任意であり、ファイル名のみを表示させるというようにもできる。また、その表示位置も任意である。
【００２９】
次に、メニューボタン３を押すと、前記ディスプレイ２に図７に示すメニュー画面Ｂが表示され、カメラキー３０をタップすることにより、前記フォルダ内に格納される二枚目の画像を撮影する準備ができることとなる（ステップ１０７）。
また、戻るボタン５が押された場合には、図６に示すフォルダ作成後の表示画面が表示されることとなる。
【００３０】
二枚目の画像を撮影すると（ステップ１０４）、図９に示した一枚目の画像撮影後の画面と同様に、二枚目に撮影された商品画像（後面）３９を、画像データファイルに変換し、データ格納手段１５内の前記フォルダに格納するか否かを選択する、図１１に示す画面が表示されることとなる。ここで、やり直しキー３４をタップすると、図８に示す画像撮影画面へと戻るのは、一枚目と同様である。
【００３１】
前記保存キー３３をタップし、二枚目の商品画像（後面）３９を、画像データファイルに変換し、前記データ格納手段１５内の前記フォルダに格納することを選択した場合には、撮影枚数がカウントされ（ステップ１０５）、二枚目の撮影であるため、図３に示す前記設定パラメータのうち連番データとなる”％％％”が”００２”となり、その他の前記設定パラメータにしたがって、一枚目の画像データファイルと同様にファイル名が生成されて、当該画像データファイルがステップ１０３で生成されたデータ格納手段１５内の前記フォルダ内に格納され（ステップ１０６）、図１２に示すフォルダ内容表示画面Ｂが、前記ディスプレイ２に表示される。以降、図示はないが、三枚目以降の画像撮影においても同様の処理がなされる。ここで、前記戻るボタン５を押すことにより、図６に示すフォルダ作成後の表示画面へと戻ることとなる。
なお、本件発明の実施の形態においては、二枚目の画像データファイル情報が、一枚目の画像データファイル情報の下部に表示されるが、表示内容・表示位置等は任意であることは、前記と同様である。
【００３２】
また、一枚目の画像撮影後に前記保存キー３３をタップした際に、図１０に示すフォルダ内容表示画面Ａを表示させずに、図８に示す画像撮影画面を表示させ、二枚目以降の画像を連続して撮影が行えるようにすることができる。この場合において、前記フォルダ内に格納される任意の枚数の撮影が終了した後、図８に示す画像撮影画面が表示されていることとなるが、戻るボタン５を押すことにより、図１２に示すフォルダ内容表示画面に戻ることとなり、画像撮影を終了させることができる。
前記フォルダ内にある程度の枚数の画像データファイルを格納したい場合などには、連続してスムースな撮影ができるため、前記の処理が有効となる。
【００３３】
すでに前記バーコード情報が抽出済みであるため、前記フォルダ内に画像データファイルを追加して格納したい場合、すでに前記フォルダが生成されている場合において前記画像データファイルの処理を行うためのプログラムを起動した場合には、図６に示す画面が表示される。図示はないが、複数のフォルダが生成されている場合には、前記フォルダ内容表示バー２７が並列して表示されることとなる
そこで、画像データファイルを追加したい任意のフォルダ内容表示バーをタップすることにより、図１２に示すフォルダ内容表示画面が表示されるので、メニューボタン３を押すことにより、図７に示すメニュー画面Ｂが表示され、追加して画像の撮影をすることができることとなる。
なお、この場合において、前記フォルダ内にすでに画像データファイルが格納されている場合には、最後に格納された画像データファイルのファイル名から連番データであるパラメータの”％％％”部分が抽出されて、一時的に記憶されることにより、追加する画像を撮影した後（ステップ１０４）、前記保存キー３３をタップすると、前記最後に格納された画像データファイルの次に撮影されるものとして、カウントアップされて（ステップ１０５）、その他の前記設定パラメータにしたがって、他の画像データファイルと同様にファイル名が生成されることとなる。
【００３４】
前記のように、本件発明の実施の形態において、バーコード情報に対応したフォルダ名を生成し、当該フォルダ内に当該バーコード情報に対応した商品の画像データファイルを格納し、さらに当該画像データファイルを当該バーコード情報に対応させることによって、バーコード情報、フォルダ名、画像データファイルのファイル名を相互に関連させることにより、画像データファイルの管理が容易になるという利点がある。
ショッピングサイトやカタログに商品画像を掲載する際に、商品の前面写真によって商標を表示したり、商品の後面写真を表示することによって、当該商品の説明書きや成分表示を表示することができることとなり、ショッピングサイト内やカタログページに、そのような記載をあえてする必要がなくなるため、記載スペースの節約につながり、商品を印象づけるために有用な商品画像を大きく表示させることができることとなる。
このように、一の商品について複数の画像データファイルを管理する場合に、一の商品に対応するフォルダを作成して、当該フォルダ内に当該商品の画像データファイルを格納して管理することが有用であるが、本件発明によれば、バーコード映像の撮影から、商品画像の撮影までを一の画像データファイル処理装置で行うことにより、非常に簡易に前記の管理を行うことができるものである。
【００３５】
本件発明の実施の形態においては、バーコード情報に対応したフォルダを生成し、当該フォルダ内に当該バーコード情報に対応した画像データファイルを格納することとしているが、フォルダを生成することなく、当該バーコード情報に対応する画像データファイルを生成して、任意のフォルダに格納することも可能であり、図１３に示す手順に従って処理される。
【符号の説明】
【００３６】
１              画像データファイル処理装置（スマートフォン）
２              ディスプレイ
３              メニューボタン
４              ホームボタン
５              戻るボタン
１１            画像撮影手段
１２            画像処理手段
１３            制御手段
１４            プログラム
１５            データ格納手段
１６            画像表示手段
２１            スキャンキー
２２            ファイルキー
２３            環境設定キー
２４            バーコード読取り範囲
２５            バーコードガイドライン
２６            バーコード
２７            フォルダ内容表示バー
２８            フォルダ名
２９            フォルダ作成日時
３０            カメラキー
３１            シャッターキー
３２            商品画像（前面）
３３            保存キー
３４            やり直しキー
３５            フォルダ名表示バー
３６            商品画像（前面）サムネイル画像
３７            商品画像（前面）の画像データファイルのファイル名
３８            商品画像（前面）の撮影日時
３９            商品画像（後面）
４０            商品画像（後面）サムネイル画像
４１            商品画像（後面）の画像データファイルのファイル名
４２            商品画像（後面）の撮影日時
【図１】
2014232394.tif 000003
【図２】
2014232394.tif 000004
【図３】
2014232394.tif 000005
【図４】
2014232394.tif 000006
【図５】
2014232394.tif 000007
【図６】
2014232394.tif 000008
【図７】
2014232394.tif 000009
【図８】
2014232394.tif 000010
【図９】
2014232394.tif 000011
【図１０】
2014232394.tif 000012
【図１１】
2014232394.tif 000013
【図１２】
2014232394.tif 000014
【図１３】
2014232394.tif 000015